(57)【特許請求の範囲】
【請求項１】
建築物の外壁と連続した仕切り壁の室内側に断熱材を取り付けて断熱する構造であって、前記外壁の室内側全面を覆って外壁用断熱材を取り付ける一方、前記仕切り壁の前記外壁の内表面から所定の範囲の両側面に仕切り壁用断熱材を取り付け、この仕切り壁用断熱材の室内側に位置する木口面に補強用部材を取り付けたことを特徴とする外壁と連続した仕切り壁の内断熱構造。
【請求項２】
前記仕切り壁が間仕切り壁、雁行、天井スラブのいずれかであることを特徴とする請求項１記載の外壁と連続した仕切り壁の内断熱構造。
【請求項３】
前記外壁および前記仕切り壁が鉄筋コンクリート造り、鉄骨鉄筋コンクリート造り、ガラスファイバー入りの鉄筋コンクリート造り、プレキャストコンクリート造りのいずれかであること特徴とする請求項１または２記載の外壁と連続した仕切り壁の内断熱構造。
【請求項４】
前記仕切り壁用断熱材の木口面を補強する前記補強用部材が補強用テープまたは補強用板材であることを特徴とする請求項１〜３のいずれかに記載の外壁と連続した仕切り壁の内断熱構造。
【発明の詳細な説明】
【０００１】
【発明の属する技術分野】
この発明は、外壁と連続した仕切り壁の内断熱構造に関し、コンクリートの建築物の間仕切り壁や天井スラブなどの外壁と連続した仕切り壁の遮音性および強度を確保しつつ結露などを防止するようにしたものでものである。
【０００２】
【従来の技術】
建築物としてコンクリート造りのものが広く構築されており、補強構造などにより鉄筋コンクリート造り（ＲＣ造）、鉄骨鉄筋コンクリート造り（ＳＲＣ造）、ガラスファイバー入りの鉄筋コンクリート造り（ＧＲＣ造）、プレキャストコンクリート造り（ＰＣ造、プレハブ）等のものがある。
【０００３】
一方、建築物の断熱工法には、外断熱工法と内断熱工法とがあるが、このようなコンクリート造りの建築物では、室内側に断熱材を取り付ける内断熱工法が従来から一般に採用されている。
【０００４】
この内断熱工法では、外壁の室内側に断熱材を取り付けるようにするが、外壁と連続する仕切り壁、例えば部屋などを仕切る間仕切り壁や上下の途中階を仕切る天井スラブ等があると、これらのところで断熱材がとぎれることになり、断熱欠損による結露発生などの問題がある。
【０００５】
そこで、最近では、図４に示すように、外壁１と連続する仕切り壁２の両側にも外壁１の室内側３の断熱材４と連続して外壁１の室内側３の表面から６００〜２０００ｍｍ程度の範囲Ｌに断熱材５を取り付けることで断熱欠損による結露発生などを防止することが行われている。
【０００６】
この仕切り壁２への断熱材５の取り付けは、外壁１の室内側３と同様に、仕切り壁２の表面に凹凸が出来ないようにするため、断熱材５の厚さ分だけ仕切り壁２のコンクリート薄くして断熱材５を施工するようにしている。
【０００７】
したがって、建築物の意匠上は仕切り壁２が平面状となり好ましい。
【０００８】
【発明が解決しようとする課題】
ところが、こうした仕切り壁２部分の断熱構造では、仕切り壁２のコンクリートの厚さｔを薄くして厚さをｔ１とした分だけ遮音性の低下や強度の低下を引き起こし、新たな問題が生じている。
【０００９】
この発明は、かかる従来技術の問題点に鑑みてなされたもので、仕切り壁の遮音性や強度に影響を及すことなく断熱欠損による結露発生を防止できる外壁と連続した仕切り壁の内断熱構造を提供しようとするものである。
【００１０】
【課題を解決するための手段】
外壁と連続した仕切り壁の断熱構造について鋭意研究を重ねた結果、通常のコンクリート造りの建築物では、柱や梁等に数百ｍｍ程度の段差があるのが普通であり、このような段差が生じることを前提に内装などが施されることから断熱材によって数十ｍｍ程度の段差を生じさせても住む人にとってはさほど気になるものでなく、むしろ仕切り壁の強度低下により地震時の破壊や損傷が生じることが生命財産の安全性確保の問題となり、隣り合う部屋との遮音性の低下が集合住宅でのプライバシーの保護や快適性の点でより重要な問題となってきていることに鑑みてこの発明を完成したものである。
【００１１】
上記従来技術が有する課題を解決するこの発明の請求項１記載の外壁と連続した仕切り壁の内断熱構造は、建築物の外壁と連続した仕切り壁の室内側に断熱材を取り付けて断熱する構造であって、前記外壁の室内側全面を覆って外壁用断熱材を取り付ける一方、前記仕切り壁の前記外壁の内表面から所定の範囲の両側面に仕切り壁用断熱材を取り付け、この仕切り壁用断熱材の室内側に位置する木口面に補強用部材を取り付けたことを特徴とするものである。
【００１２】
補強用部材は、予め仕切り壁用断熱材に取り付けておいても良いし、内装完了時に仕切り壁用断熱材に取り付けても良い。
【００１３】
この外壁と連続した仕切り壁の内断熱構造によれば、仕切り壁に取り付けた仕切り壁用断熱材が外側に突き出して段差を生じるもののコンクリート造りの建築物に通常生じる段差に比べて気にならない程度に小さくでき、結露を防止しながら強度や遮音性を確保でき、しかも仕切り壁用断熱材の木口面の損傷も防止できるようにしている。
【００１４】
また、この発明の請求項２記載の外壁と連続した仕切り壁の内断熱構造は、請求項１記載の構成に加え、前記仕切り壁が間仕切り壁、雁行、天井スラブのいずれかであることを特徴とするものである。
【００１５】
この外壁と連続した仕切り壁の内断熱構造によれば、外壁が連続する仕切り壁として隣接する部屋同士を仕切る間仕切り壁、外壁が段差状とされて仕切り壁が連続する雁行、上下の部屋を仕切る天井スラブのいずれに適用しても、同様に、仕切り壁に取り付けた仕切り壁用断熱材が室内側に突き出して段差を生じるもののコンクリート造りの建築物に通常生じる段差に比べて気にならない程度に小さくでき、結露を防止しながら強度や遮音性を確保でき、しかも仕切り壁用断熱材の木口面の損傷も防止できるようになる。
【００１６】
さらに、この発明の請求項３記載の外壁と連続した仕切り壁の内断熱構造は、請求項１または２記載の構成に加え、前記外壁および前記仕切り壁が鉄筋コンクリート造り、鉄骨鉄筋コンクリート造り、ガラスファイバー入りの鉄筋コンクリート造り、プレキャストコンクリート造りのいずれかであること特徴とするものである。
【００１７】
この外壁と連続した仕切り壁の内断熱構造によれば、前記外壁および前記仕切り壁が鉄筋コンクリート造り、鉄骨鉄筋コンクリート造り、ガラスファイバー入りの鉄筋コンクリート造り、プレキャストコンクリート造りのいずれに適用しても同様に、仕切り壁に取り付けた仕切り壁用断熱材が室内側に突き出して段差を生じるもののコンクリート造りの建築物に通常生じる段差に比べて気にならない程度に小さくでき、結露を防止しながら強度や遮音性を確保でき、しかも仕切り壁用断熱材の木口面の損傷も防止できるようになる。
【００１８】
また、この発明の請求項４記載の外壁と連続した仕切り壁の内断熱構造は、請求項１〜３のいずれかに記載の構成に加え、前記仕切り壁用断熱材の木口面を補強する前記補強用部材が補強用テープまたは補強用板材であることを特徴とするものである。
【００１９】
この外壁と連続した仕切り壁の内断熱構造によれば、仕切り壁用断熱材の木口面を補強用テープまたは補強用板材で補強することで、仕切り壁用断熱材の木口面の損傷も防止できるようになる。
【００２０】
ここでいう補強用テープ又は補強用板材で補強する木口面とは、仕切り壁用断熱材は、通常、矩形のボード状のものが用いられ、表裏面以外の周囲４面に木口面を有するが、垂直の間仕切り壁に取り付ける場合には、上下の木口面は天井と床に接して露出せず、左右のうち外壁側は外壁用断熱材に接して露出せず、左右のうち外壁と反対側の残る１面は段差として内装完了時に室内に位置した状態となる木口面をいい、水平の天井スラブに仕切り壁用断熱材を取付ける場合にも、同様に、４つの木口面のうち段差として内装完了時に室内に位置した状態となり、段差となる１つの木口面をいう。なお、内装完了時に室内に位置しない場合、例えば仕切り壁として上下の部屋を仕切る天井スラブの場合には、天井スラブの上面の仕切り壁用断熱材は床材の下に隠れて木口面が段差として室内に位置しないことから、ここでいう補強用テープまたは補強用板材で補強する木口面には含めない。
【００２１】
【発明の実施の形態】
以下、この発明の実施の形態を図面を参照しながら詳細に説明する。
図１は、この発明の外壁と連続した仕切り壁の内断熱構造の一実施の形態にかかり、仕切り壁として間仕切り壁に適用した場合の水平断面図であり、（ａ）は内装仕上げ材の取り付け前を、（ｂ）は内装仕上げ材の取り付け後をそれぞれ示す。
【００２２】
この外壁と連続した仕切り壁の内断熱構造１０では、コンクリート造りの外壁１１と連続する仕切り壁としての間仕切り壁１２が断熱材施工部分を含む全体が同一厚さｔのコンクリート造りとされており、外壁１１の室内側１３に外壁用断熱材１４がこれまでと同様に取り付けられる。そして、間仕切り壁１２部分には、間仕切り壁１２の両側に外壁用断熱材と同一仕様の仕切り壁用断熱材１５がその厚さ分だけ室内側に突き出して取り付けられ、その取付範囲Ｌが外壁１１の室内側１３の表面から６００〜２０００ｍｍ程度とされ、コンクリート造りの建築物の仕様や環境に応じて間仕切り壁１２に断熱欠損による結露の発生が防止できる範囲に取り付けてある。
【００２３】
また、この仕切り壁用断熱材１５の内装完了時に室内に位置する木口面１６には、補強用部材１７が取り付けられ、仕切り壁用断熱材１５の木口面１６の割れ等の損傷を防止するとともに、内装仕上げ材１８を取り付ける場合の下地面にできるようにしてある。
【００２４】
こうして仕切り壁用断熱材１５を所定範囲Ｌに取り付け、内装完了時に室内に位置する木口面１６に補強用部材１７を取り付けた後、必要に応じて下地処理などを施し、内装仕上げ材１８がこれらを覆うように取付けられる。
【００２５】
したがって、このような外壁と連続した仕切り壁の内断熱構造１０によれば、仕切り壁用断熱材１５が室内側に飛び出した状態で取り付けられるので、間仕切り壁１２部分の断熱欠損による結露発生を防止することができるとともに、間仕切り壁１２の厚さｔを一定の厚い状態にできるので、強度が低下したり、遮音性が損なわれることもなく、一層安全かつ快適に住むことができる。
【００２６】
また、室内側に飛び出した状態で取り付けた仕切り壁用断熱材１５の段差なる木口面１６には、補強用部材１７を取付けて補強するようにしたので、人がぶつかって割れたり、損傷することを防止できるとともに、内装仕上げ材１８を取付ける場合に、粘着剤や接着剤を塗布したり、釘やビスなどで固定するのに利用することができる。
【００２７】
一方、室内側に飛び出した状態で取り付けた仕切り壁用断熱材１５で、その厚さに応じた段差が生じるが、段差といってもせいぜい数１０ｍｍであり、コンクリート造りの建築物で通常生じる柱や梁などの数１００ｍｍ程度の段差に比べて小さく、住む人や使用者が気になるほどの厚さでなく、むしろ、使用者などにとっては、地震時の間仕切り壁１２の破壊等の問題が一層解消され、生命や財産の安全性が一層向上するとともに、集合住宅やホテルなどでは遮音性の一層の向上により一層プライバシーが保護され、快適に使用することができる。
【００２８】
このようなコンクリート造りの建築物に備わる外壁１１と連続した仕切り壁１２としては、鉄筋コンクリート造り（ＲＣ造）、鉄骨鉄筋コンクリート造り（ＳＲＣ造）、ガラスファイバー入りの鉄筋コンクリート造り（ＧＲＣ造）、プレキャストコンクリート造り（ＰＣ造、プレハブ））等のいずれであっても良い。
【００２９】
また、外壁用断熱材や仕切り壁用断熱材は同一仕様のものでも良く、例えば硬質ポリウレタンフォーム、ポリスチレンフォーム、ポリエチレンフォーム、フェノールフォーム、ゴム発泡体、塩化ビニル発泡体のボード、あるいは板状のグラスウールやロックウールなどが使用でき、またこれらに紙、ポリエチレンフィルム、ガラス不織布、石膏ボード、合板など単層、あるいはこれらを１種類以上積層した面材が予め設けてあるものが、壁面の強度を向上できるので好ましい。
【００３０】
なお、断熱ボードとしては、例えば幅６００ｍｍ、長さ１８００ｍｍ、厚さ１０〜２５ｍｍのものが用いられる。
【００３１】
また、仕切り壁用断熱材１５の木口面１６に取付ける補強用部材１７としては、補強用テープや補強用板材を用いることができ、例えば補強テープとしては、紙テープ、プラスチックテープ、金属テープまたはこれらを適宜組み合わせたテープ等を使用でき、補強用板材としては、例えば板紙、合板、桟木、プラスチック板、金属板等の板状のものが使用できる。さらに、補強用部材としては、これら補強用テープや補強用板材に内装仕上げ材との接着性をもつように予め粘着剤や接着剤などを塗布するなどの表面処理を施したものが望ましい。
【００３２】
また、内装仕上げ材としては、例えば樹脂モルタルやクロスなど挙げることができるほか、通常の建築物の内装に用いられるものも使用することができる。
【００３３】
次に、この発明の他の一実施の形態について図２により説明するが、既に説明した実施の形態と同一部分には同一記号を記し説明は省略する。
【００３４】
この外壁と連続した仕切り壁の内断熱構造２０は、コンクリート造りの外壁２１が直角に突き出す角を構成する外壁部２１ａ，２１ｂと、直角に窪んだ角を構成する外壁部２１ｂ，２１ｃとで段差状とされ、この外壁２１と連続する仕切り壁としての間仕切り壁２２が外壁部２１ｂの一部と兼用されて外壁部２１ｂと同一厚さｔのコンクリート造りとされており、いわゆる雁行という構造の間仕切り壁２２を内断熱する場合に適用したものである。
【００３５】
この外壁と連続した仕切り壁の内断熱構造２０では、外壁２１を構成する外壁部２１ａ，２１ｂ，２１ｃの室内側にそれぞれ外壁用断熱材１４がこれまでと同様に取り付けてある。そして、間仕切り壁２２部分には、その両側面に外壁用断熱材１４と同一仕様の仕切り壁用断熱材１５がその厚さ分だけ室内側に突き出して取り付けられ、その取付範囲Ｌが外壁２１ｃの室内側１３の表面から６００〜２０００ｍｍ程度とされ、コンクリート造りの建築物の仕様や環境に応じて間仕切り壁２２に断熱欠損による結露の発生が防止できる範囲に取り付けてある。
【００３６】
したがって、外壁部２１ｂと連続する間仕切り壁２２の室内１３ａ側では、外壁用断熱材１４と仕切り壁用断熱材１５が連続している。
【００３７】
そして、両側の仕切り壁用断熱材１５の内装完了時に室内に位置する段差となる木口面１６には、補強用部材１７が取り付けられ、仕切り壁用断熱材１５の木口面１６の割れ等の損傷を防止するとともに、内装仕上げ材１８を取り付ける場合の下地面にできるようにしてある。
【００３８】
こうして仕切り壁用断熱材１５を所定範囲Ｌに取り付け、内装完了時に室内に位置する木口面１６に補強用部材１７を取り付けた後、必要に応じて下地処理などを施し、内装仕上げ材１８がこれらを覆うように取付けられる。
【００３９】
したがって、このような外壁と連続した仕切り壁の内断熱構造２０によれば、仕切り壁用断熱材１５が室内側に飛び出した状態で取り付けられるので、間仕切り壁２２部分の断熱欠損による結露発生を防止することができるとともに、間仕切り壁２２の厚さｔを一定の厚い状態にできるので、強度が低下したり、遮音性が損なわれることもなく、一層安全かつ快適に住むことができるなど上記実施の形態と同一の効果を奏する。
【００４０】
次に、この発明のさらに他の一実施の形態について図３に示す垂直断面図より説明するが、既に説明した上記２つの実施の形態と同一部分には、同一記号を記し説明は省略する。
【００４１】
この外壁と連続した仕切り壁の内断熱構造３０は、コンクリート造りの外壁３１を構成する外壁部３１ａおよびコンクリート梁３１ｂに対して、この外壁３１と連続する仕切り壁として上下の部屋を仕切る天井スラブ３２が水平に設けられてコンクリート造りとされており、この水平に配置された天井スラブ３２を内断熱する場合に適用したものである。
【００４２】
この外壁と連続した仕切り壁の内断熱構造３０では、外壁３１を構成する外壁部３１ａおよびコンクリート梁３１ｂの室内側１３にそれぞれ外壁用断熱材１４がこれまでと同様に取り付けてある。
【００４３】
そして、天井スラブ３２部分には、その両側面である上下面に外壁用断熱材１４と同一仕様の仕切り壁用断熱材１５がその厚さ分だけ室内側に突き出して取り付けられ、下の室内側１３では、その取付範囲Ｌが外壁３１の室内側１３の表面から６００〜２０００ｍｍ程度とされ、コンクリート造りの建築物の仕様や環境に応じて天井スラブ３２に断熱欠損による結露の発生が防止できる範囲に取り付けてあり、上の室内側１３ｂでも、その取付範囲がＬとされ、外壁３１の室内側１３ｂの表面から６００〜２０００ｍｍ程度とされ、コンクリート造りの建築物の仕様や環境に応じて天井スラブ３２に断熱欠損による結露の発生が防止できる範囲に取り付けてある。
【００４４】
なお、上の室内側１３ｂでの断熱材の取付範囲Ｌ１部分は、外壁３１を構成するコンクリト梁３１ｂを内断熱するための部分であり、この部分に取付けてある断熱材は外壁用断熱材１４となっている。
【００４５】
したがって、上の室内側１３ｂでは、コンクリート梁３１ｂを断熱する外壁用断熱材１４と天井スラブ３２を断熱する仕切り壁用断熱材１５が連続した状態となっている。
【００４６】
そして、下の室内側１３の仕切り壁用断熱材１５の内装完了時に室内に位置する段差となる木口面１６には、補強用部材１７が取り付けられ、仕切り壁用断熱材１５の木口面１６の割れ等の損傷を防止するとともに、内装仕上げ材１８を取り付ける場合の下地面にできるようにしてある。
【００４７】
なお、下の室内側１３では、コンクリート梁３１ｂを断熱する外壁用断熱材１４にも内装完了時に室内に位置する木口面１６ａが形成されるので、この木口面１６ａにも、同一仕様の補強用部材１７が取り付けられ、外壁用断熱材１４の木口面１６ａの割れ等の損傷を防止するとともに、内装仕上げ材１８を取り付ける場合の下地面にできるようにしてある。
【００４８】
一方、上の室内側１３ｂでは、内装として仕切り壁用断熱材１５が床根太３３を介して床材３４で覆われ、内装完了時に室内に位置しない（床下に位置する）状態となるので、人がぶつかることもなく、仕切り壁用断熱材１５の段差となる木口面であっても補強用部材を取り付ける必要がない。
【００４９】
こうして仕切り壁用断熱材１５を所定範囲Ｌに取り付け、内装完了時に室内に位置する段差となる木口面１６に補強用部材１７を取り付けた後、必要に応じて下地処理などを施し、内装仕上げ材１８がこれらを覆うように取付けられる。
【００５０】
したがって、このような外壁と連続した仕切り壁の内断熱構造３０によれば、仕切り壁用断熱材１５が室内側に飛び出した状態で取り付けられるので、天井スラブ３２部分の断熱欠損による結露発生を防止することができるとともに、天井スラブ３２の厚さｔを一定の厚い状態にできるので、強度が低下したり、遮音性が損なわれることもなく、一層安全かつ快適に住むことができるなど上記実施の形態と同一の効果を奏する。
【００５１】
なお、上記各実施の形態では、仕切り壁用断熱材の室内側に位置する段差となる木口面を表裏面に対して直角として補強用部材を取付けるようにしたが、直角な平面にする場合に限らず、角部を面取りしたり、曲面加工（Ｒ加工）したり、斜め加工するようにしても良く、補強用部材として補強用テープを用いたり、木口面の形状に合わせて予め成形したプラスチック材を補強用板材として使用するようにしても良い。
【００５２】
【発明の効果】
以上、実施の形態とともに具体的に説明したようにこの発明の請求項１記載の外壁と連続した仕切り壁の内断熱構造によれば、建築物の外壁と連続した仕切り壁の室内側に断熱材を取り付けて断熱する構造であって、前記外壁の室内側全面を覆って外壁用断熱材を取り付ける一方、前記仕切り壁の前記外壁の内表面から所定の範囲の両側面に仕切り壁用断熱材を取り付け、この仕切り壁用断熱材の室内側に位置する木口面に補強用部材を取り付けたので、仕切り壁に取り付けた仕切り壁用断熱材が室内側に突き出して段差を生じるもののコンクリート造りの建築物に通常生じる段差に比べて気にならない程度に小さくでき、結露を防止しながら強度や遮音性を確保でき、しかも仕切り壁用断熱材の木口面の損傷も防止することができる。
【００５３】
また、この発明の請求項２記載の外壁と連続した仕切り壁の内断熱構造によれば、外壁が連続する仕切り壁として隣接する部屋同士を仕切る間仕切り壁、外壁が段差状とされて仕切り壁が連続する雁行、上下の部屋を仕切る天井スラブのいずれの場合であっても、仕切り壁に取り付けた仕切り壁用断熱材が室内側に突き出して段差を生じるもののコンクリート造りの建築物に通常生じる段差に比べて気にならない程度に小さくでき、結露を防止しながら強度や遮音性を確保でき、しかも仕切り壁用断熱材の木口面の損傷も防止することができる。
【００５４】
さらに、この発明の請求項３記載の外壁と連続した仕切り壁の内断熱構造によれば、前記外壁および前記仕切り壁が鉄筋コンクリート造り、鉄骨鉄筋コンクリート造り、ガラスファイバー入りの鉄筋コンクリート造り、プレキャストコンクリート造りのいずれの場合であっても、仕切り壁に取り付けた仕切り壁用断熱材が室内側に突き出して段差を生じるもののコンクリート造りの建築物に通常生じる段差に比べて気にならない程度に小さくでき、結露を防止しながら強度や遮音性を確保でき、しかも仕切り壁用断熱材の木口面の損傷も防止することができる。
【００５５】
また、この発明の請求項４記載の外壁と連続した仕切り壁の内断熱構造によれば、前記仕切り壁用断熱材の木口面を補強する前記補強用部材として補強用テープまたは補強用板材を用い、仕切り壁用断熱材の木口面を補強用テープまたは補強用板材で補強することで、仕切り壁用断熱材の木口面の損傷も防止できる。
【００５６】
その際、仕切り壁用断熱材の木口面を補強する補強用部材に表面処理を施して内装仕上げ材との接着性を持たせることで、一層施工を簡単にして仕切り壁用断熱材の木口面の損傷を防止することができる。
【図面の簡単な説明】
【図１】この発明の外壁と連続した仕切り壁の内断熱構造の一実施の形態にかかり、仕切り壁として間仕切り壁に適用した場合の水平断面図であり、（ａ）は内装仕上げ材の取り付け前を、（ｂ）は内装仕上げ材の取り付け後をそれぞれ示す。
【図２】この発明の外壁と連続した仕切り壁の内断熱構造の他の一実施の形態にかかり、仕切り壁として雁行構造の間仕切り壁に適用した場合の水平断面図である。
【図３】この発明の外壁と連続した仕切り壁の内断熱構造のさらに他の一実施の形態にかかり、仕切り壁として天井スラブに適用した場合の垂直断面図である。
【図４】従来の外壁と連続した仕切り壁の内断熱構造の水平断面図である。
【符号の説明】
１０  外壁と連続した仕切り壁の内断熱構造基礎
１１  外壁
１２  間仕切り壁（仕切り壁）
１３，１３ａ，１３ｂ  室内側
１４  外壁用断熱材
１５  仕切り壁用断熱材
１６，１６ａ  断熱材の木口面
１７  補強用部材
１８  内装仕上げ材
２０  外壁と連続した仕切り壁の内断熱構造基礎
２１  外壁
２１ａ，２１ｂ，２１ｃ  外壁部
２２  間仕切り壁（仕切り壁）
３０  外壁と連続した仕切り壁の内断熱構造基礎
３１  外壁
３１ａ  外壁部
３１ｂ  コンクリート梁
３２  天井スラブ（仕切り壁）
３３  床根太
３４  床材
ｔ  仕切り壁の厚さ
Ｌ  仕切り壁用断熱材の取付範囲
【図１】
0004711575.tif 000002
【図２】
0004711575.tif 000003
【図３】
0004711575.tif 000004
【図４】
0004711575.tif 000005